(57)【要約】【課題】暗号化されたコンテンツデータを復号・再生可能な機器をユーザが認識でき、ひいては、コンテンツデータの利用、管理の利便性を向上することのできる技術を提供する。【解決手段】  本発明のコンテンツ記録再生装置は、コンテンツデータを記録媒体に記録し、前記記録したコンテンツデータを再生することが可能なコンテンツ記録再生装置において、前記記録媒体に記録するコンテンツデータを暗号化する暗号化手段と、前記暗号化されたコンテンツデータを復号して再生することのできる再生可能機器を示すためのガイド映像データを作成するガイド映像作成手段と、前記再生可能機器以外の機器でも再生することのできる形式で前記ガイド映像データを前記暗号化されたコンテンツデータに付加する付加手段と、を有することを特徴とする。【選択図】図３
2010178268.tif 000002
【特許請求の範囲】
【請求項１】
コンテンツデータを記録媒体に記録し、前記記録したコンテンツデータを再生することが可能なコンテンツ記録再生装置において、
前記記録媒体に記録するコンテンツデータを暗号化する暗号化手段と、
前記暗号化されたコンテンツデータを復号して再生することのできる再生可能機器を示すためのガイド映像データを作成するガイド映像作成手段と、
前記再生可能機器以外の機器でも再生することのできる形式で前記ガイド映像データを前記暗号化されたコンテンツデータに付加する付加手段と、
を有することを特徴とするコンテンツ記録再生装置。
【請求項２】
前記付加手段は、前記ガイド映像データを前記暗号化されたコンテンツデータの先頭に付加する
ことを特徴とする請求項１に記載のコンテンツ記録再生装置。
【請求項３】
前記暗号化手段は、前記コンテンツ記録再生装置に固有の暗号方式により前記コンテンツデータを暗号化し、
前記再生可能機器は、前記コンテンツ記録再生装置自身である
ことを特徴とする請求項１または２に記載のコンテンツ記録再生装置。
【請求項４】
前記記録媒体は、前記コンテンツ記録再生装置から取り外し可能な記録媒体である
ことを特徴とする請求項１〜３のいずれか１項に記載のコンテンツ記録再生装置。
【請求項５】
前記付加手段は、さらに、前記再生可能機器を表す再生可能機器情報を前記暗号化されたコンテンツデータに付加するものであり、
前記記録媒体に記録されているコンテンツデータに付加された再生可能機器情報を読み込み、各コンテンツデータの再生可能機器を表す一覧画面を作成する一覧画面作成手段を更に有する
ことを特徴とする請求項１〜４のいずれか１項に記載のコンテンツ記録再生装置。
【請求項６】
前記付加手段は、さらに、前記再生可能機器を表す再生可能機器情報を前記暗号化されたコンテンツデータに付加するものであり、
前記記録媒体に記録されているコンテンツデータを再生する際に、そのコンテンツデータに付加されている再生可能機器情報に基づいて前記コンテンツデータを復号・再生可能か否か判定する判定手段と、
復号・再生可能であると判定された場合に、前記コンテンツデータに付加されているガイド映像データの再生を省略して前記コンテンツデータを復号・再生する制御手段と、
を有することを特徴とする請求項１〜５のいずれか１項に記載のコンテンツ記録再生装置。
【請求項７】
前記制御手段は、復号・再生可能でないと判定された場合に前記コンテンツデータに付加されているガイド映像データを再生する
ことを特徴とする請求項６に記載のコンテンツ記録再生装置。
【請求項８】
コンテンツデータを記録媒体に記録し、前記記録したコンテンツデータを再生することが可能なコンテンツ記録再生装置の制御方法において、
前記記録媒体に記録するコンテンツデータを暗号化するステップと、
前記暗号化されたコンテンツデータを復号して再生することのできる再生可能機器を示すためのガイド映像データを作成するステップと、
前記再生可能機器以外の機器でも再生することのできる形式で前記ガイド映像データを
前記暗号化されたコンテンツデータに付加するステップと、
を有することを特徴とするコンテンツ記録再生装置の制御方法。
【発明の詳細な説明】
【技術分野】
【０００１】
本発明は、映像コンテンツデータを記録媒体に記録し、記録した映像コンテンツデータを再生することが可能なコンテンツ記録再生装置及びその制御方法に関する。
【背景技術】
【０００２】
従来、デジタル放送のコンテンツデータ（映像コンテンツデータ）を記録媒体に記録（複製）するコンテンツ記録再生装置がある。コンテンツ記録再生装置は、デジタルコンテンツの保護や不正コピーの防止のため、コンテンツデータを暗号化して記録することがある。また、いわゆるローカル暗号方式のように、復号・再生可能な機器を特定の機器に限定することもある。
【０００３】
そのため、例えば、暗号化されたコンテンツデータを取り外し可能な記録媒体に記録した場合に、記録媒体をコンテンツ記録再生装置から取り外してしまうと、記録したコンテンツデータを復号・再生可能な機器を特定することが困難になってしまう。また、記録媒体が取り外し可能である場合には、暗号方式が互いに異なる複数のコンテンツデータが記録されることがある。その場合にも、上記問題が生じる。具体的には、どのコンテンツデータがどの機器で復号・再生することができるのかを把握することが困難となる。そのため、暗号化されたコンテンツデータを復号・再生可能な機器をユーザが認識できることが好ましい。
【０００４】
なお、コンテンツ記録再生装置に関する従来技術として、例えば、特許文献１に開示のハードディスクレコーダがある。具体的には、特許文献１に開示のハードディスクレコーダは、ＤＶ（Ｄｉｇｉｔａｌ  Ｖｉｄｅｏ）カムコーダの録画データをハードディスクに記録する際に、録画データに当該ＤＶカムコーダを識別するための識別情報を付加する。そして、ハードディスクに格納されたコンテンツデータの一覧を表示した状態でＤＶカムコーダを接続すると、識別情報に基づいて当該ＤＶカムコーダから取得されたコンテンツデータ（録画データ）の一覧を表示する。
【先行技術文献】
【特許文献】
【０００５】
【特許文献１】特開２００６−３１４０１７号公報
【発明の概要】
【発明が解決しようとする課題】
【０００６】
本発明は、上記実情に鑑みてなされたものであって、その目的とするところは、暗号化されたコンテンツデータを復号・再生可能な機器をユーザが認識でき、ひいては、コンテンツデータの利用、管理の利便性を向上することのできる技術を提供することにある。
【課題を解決するための手段】
【０００７】
上述した課題を解決するために、本発明のコンテンツ記録再生装置は、
コンテンツデータを記録媒体に記録し、前記記録したコンテンツデータを再生することが可能なコンテンツ記録再生装置において、
前記記録媒体に記録するコンテンツデータを暗号化する暗号化手段と、
前記暗号化されたコンテンツデータを復号して再生することのできる再生可能機器を示すためのガイド映像データを作成するガイド映像作成手段と、
前記再生可能機器以外の機器でも再生することのできる形式で前記ガイド映像データを前記暗号化されたコンテンツデータに付加する付加手段と、
を有することを特徴とする。
【０００８】
また、本発明のコンテンツ記録再生装置の制御方法は、
コンテンツデータを記録媒体に記録し、前記記録したコンテンツデータを再生することが可能なコンテンツ記録再生装置の制御方法において、
前記記録媒体に記録するコンテンツデータを暗号化するステップと、
前記暗号化されたコンテンツデータを復号して再生することのできる再生可能機器を示すためのガイド映像データを作成するステップと、
前記再生可能機器以外の機器でも再生することのできる形式で前記ガイド映像データを前記暗号化されたコンテンツデータに付加するステップと、
を有することを特徴とする。
【発明の効果】
【０００９】
本発明によれば、暗号化されたコンテンツデータを復号・再生可能な機器をユーザが認識でき、ひいては、コンテンツデータの利用、管理の利便性を向上することのできる技術を提供することができる。
【図面の簡単な説明】
【００１０】
【図１】図１は、本実施形態に係るコンテンツ記録再生装置の構成を示すブロック図である。
【図２】図２は、ガイド映像の一例を示す図である。
【図３】図３は、暗号化されたコンテンツデータに付加情報を付加した場合のデータの構造の一例を示す図である。
【図４】図４は、記録コンテンツ一覧画面の一例を示す図である。
【図５】図５は、付加情報作成時の、本実施形態に係るコンテンツ記録再生装置の動作の一例を示すフローチャートである。
【図６】図６は、コンテンツデータに付加情報を付加するときの、本実施形態に係るコンテンツ記録再生装置の動作の一例を示すフローチャートである。
【図７】図７は、記録コンテンツ一覧画面を作成するときの、本実施形態に係るコンテンツ記録再生装置の動作の一例を示すフローチャートである。
【図８】図８は、記録コンテンツ再生時の、本実施形態に係るコンテンツ記録再生装置の動作の一例を示すフローチャートである。
【図９】図９は、付加情報データサイズ分のデータの読み飛ばしを説明するための図である。
【発明を実施するための形態】
【００１１】
以下、本発明の実施形態について詳しく説明する。具体的には、本発明の実施形態として、コンテンツデータを記録媒体に記録し、記録したコンテンツデータを再生することが可能なコンテンツ記録再生装置について説明する。
【００１２】
＜構成＞
図１は、本実施形態に係るコンテンツ記録再生装置１０１の構成を示すブロック図である。
【００１３】
チューナ１０２は、図示しないアンテナやテレビ回線を介して入力されたデジタル放送信号を取得する。デスクランブラ１０３は、チューナ１０２が取得した信号に復調処理、誤り訂正処理を施し、トランスポートストリーム（ＴＳ）信号を生成する。具体的には、映像信号、音声信号、番組情報信号（以後、映像信号、音声信号、番組情報信号を併せたものをコンテンツデータと呼ぶ）を、それぞれ、ＴＳ信号として生成する。デコーダ１０４は、デスクランブラ１０３から出力される映像信号、音声信号及び番組情報信号をデコ
ード（復号化）する。合成部１０８は、デコーダ１０４でデコードされた映像信号と、記録コンテンツ一覧画面作成部１１５で作成された記録コンテンツ一覧画面の合成を行う。記録コンテンツ一覧画面とは、例えば、コンテンツ記録再生装置１０１に接続された外付けＨＤＤに記録されているコンテンツデータの一覧を表す画面である。
【００１４】
表示部１０９は、合成部１０８により合成された映像信号をディスプレイ装置（表示装置）に出力する（記録コンテンツ一覧画面が作成されていない場合には、デコーダ１０４からの映像信号のみが出力される。）。それにより、ディスプレイ装置で映像信号に応じた映像が表示される。ディスプレイ装置としては、電子放出素子を有する表示装置、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬディスプレイ装置等の表示装置を適用すればよい。
【００１５】
エンコーダ１０７は、デコーダ１０４でデコードされたコンテンツデータ（映像信号、音声信号、番組情報信号）をエンコード（符号化）する。
【００１６】
暗号処理部１１７は、記録媒体に記録するコンテンツデータ（エンコーダ１０７でエンコードされたコンテンツデータ）を暗号化する。また、暗号処理部１１７は、コンテンツ記録再生装置１０１の暗号方式で暗号化されたコンテンツデータを復号する。なお、本実施形態では、暗号処理部１１７は、コンテンツ記録再生装置１０１に固有の暗号方式（ローカル暗号方式）により、コンテンツデータを暗号化するものとする。また、本実施形態では、記録媒体は、コンテンツ記録再生装置１０１から取り外し可能な記録媒体であるものとする。例えば、記録媒体は外付けＨＤＤであり、ＵＳＢやＬＡＮ等で外付けＨＤＤ接続部１１８に接続される。
【００１７】
再生可能機器画像登録部１１３は、図示しないメモリカードに記録された再生可能機器画像を図示しないカードスロットから読み込む。再生可能機器画像は、暗号処理部１１７で暗号化されたコンテンツデータ（即ち、コンテンツ記録再生装置１０１の暗号方式で暗号化されたコンテンツデータ）を復号して再生することのできる機器（再生可能機器）を表す画像である。本実施形態では、再生可能機器はコンテンツ記録再生装置自身である。なお、画像の読み込みを行うインタフェースは、カードスロットに限定されない。ＵＳＢケーブルなどを用いてデジタルカメラから当該デジタルカメラに記録された画像を取り込んでもよい、ネットワークを介して画像を取り込んでもよい。
【００１８】
ガイド映像作成部１１０は、再生可能機器画像登録部１１３で登録された再生可能機器画像を用いてガイド映像データの作成を行う。作成するガイド映像データは、再生可能機器をユーザに示すための映像データであり、例えば、図２の符号２０１で示すような映像データである。符号２０３は、再生可能機器画像登録部１１３で登録された再生可能機器画像を示す。符号２０２は、再生可能機器を表すメッセージ（例えば、「受信装置Ｂで再生してください」など）を示す。このようなガイド映像を表示装置で表示すれば、ユーザは再生可能機器を特定することができる。
【００１９】
再生可能機器情報作成部１１１は、再生可能機器情報（再生可能機器情報セクションデータ）の作成を行う。本実施形態では、再生可能機器情報は、再生可能機器の固有名称、特定名称、サムネイル画像、付加情報データサイズの４つの情報を含む。再生可能機器の固有名称は再生可能機器固有の名称であり、再生可能機器を一意に特定可能な名称（識別子など）である。特定名称は、再生可能機器のモデル名や略称等、ユーザが特定可能な再生可能機器の名称である。ユーザは、図示しないユーザーインターフェースによって特定名称を任意に変更できるものとする。サムネイル画像は、例えば、再生可能機器画像登録部１１３で登録された再生可能機器画像から作成される。付加情報データサイズは、再生可能機器情報作成部１１１で作成される再生可能機器情報と、ガイド映像作成部１１０で
作成されるガイド映像データの合計データサイズを格納する。
【００２０】
ガイド映像データ及び再生可能機器情報は、再生可能機器以外の機器でも再生することのできる形式で暗号化されたコンテンツデータに付加される。具体的には、ガイド映像データ及び再生可能機器情報は付加情報ＭＰＥＧ−ＴＳとして付加情報記録部１０５へ格納される。なお、本実施形態では、再生可能機器情報をコンテンツデータへ付加する場合に、ＩＴＵ−Ｔ勧告Ｈ．２２２．０で規定されているプライベートセクションを使用する。また、プライベートセクションのｔａｂｅｌ＿ｉｄでユーザプライベートＩＤを指定することで、再生可能機器情報の指定を行う。
【００２１】
付加情報挿入部１０６は、暗号化されたコンテンツデータに、付加情報記録部１０５に格納されている付加情報を付加（挿入）する。図３は、暗号化されたコンテンツデータに、付加情報を付加した場合のデータの構造の一例を示す図である。図３の例では、暗号化されたコンテンツデータの先頭に付加情報が付加されている。符号３０１は付加情報、符号３０３，３０４，３０６はガイド映像データのパケット、符号３０５は再生可能機器情報のパケットを示す。そして符号３０２は、暗号化されたコンテンツデータを示す。
【００２２】
記録再生制御部１１４は、外付けＨＤＤ接続部１１８に接続された外付けＨＤＤにコンテンツデータを記録（蓄積）するための制御を行う。また、記録再生制御部１１４は、外付けＨＤＤ接続部１１８に接続された外付けＨＤＤに蓄積されているコンテンツデータを再生するための制御を行う。再生の対象となるコンテンツデータに再生可能機器情報が付加されている場合には、再生可能機器情報抽出部１１２が再生可能機器情報の抽出（読み込み）を行う。
【００２３】
ガイド映像読み飛ばし判定部１１６は、再生の対象となるコンテンツデータが復号・再生可能か否かに応じて、ガイド映像データを読み飛ばすか否か（ガイド映像データを再生するか否か）の判定を行う。具体的には、記録媒体に記録されているコンテンツデータを再生する際に、そのコンテンツデータに付加されている再生可能機器情報に基づいて当該コンテンツデータを復号・再生可能か否かを判定する。そして、復号・再生可能であると判定された場合に、ガイド映像データを読み飛ばすと判定する。ガイド映像データを読み飛ばす場合には、記録再生制御部１１４は、再生可能機器情報に含まれる付加情報データサイズを再生可能機器情報抽出部１１２から取得する。そして、先頭データより付加情報データサイズ分のデータを読み飛ばす。それにより、ガイド映像データの再生を省略し、コンテンツデータを暗号処理部１１７により復号して再生することができる。本実施形態では、再生可能機器情報に含まれる再生可能機器の固有名称が、コンテンツ記録再生装置１０１の固有名称と一致した場合に、ガイド映像データを読み飛ばす。
【００２４】
記録コンテンツ一覧画面表示判断部１２０は、記録媒体に記録されているコンテンツデータ（記録コンテンツ）の一覧を出力する（表示装置で表示する）か否かを判断する。具体的には、リモコン受信部１２２で受信された信号（不図示のリモコンから送られた信号）を、リモコンコード解析部１２１が解析する。その結果、リモコン受信部１２２で受信された信号が、所定のボタン（記録コンテンツ一覧表示ボタン）を押下したことによる信号であった場合に、記録コンテンツの一覧を出力すると判断する。
【００２５】
記録コンテンツ一覧画面表示判断部１２０で記録コンテンツの一覧を出力すると判断されると、記録コンテンツ一覧画面作成部１１５は、記録媒体に記録されているコンテンツデータに付加されている再生可能機器情報を読み込む。そして、各コンテンツデータの再生可能機器を表す一覧画面（記録コンテンツ一覧画面）を作成する。例えば、記録コンテンツ一覧画面作成部１１５は、図４に示すような記録コンテンツ一覧画面４０１の作成を行う。コンテンツ名表示欄４０２には、外付けＨＤＤに格納されているコンテンツデータ
の名称（コンテンツ名）の一覧が表示される。記録コンテンツの一覧は、記録コンテンツ管理部１１９で管理されており、記録コンテンツ一覧画面作成部１１５は記録コンテンツ管理部１１９から記録コンテンツの一覧を取得する。再生可能機器表示欄４０３には、再生可能機器の再生可能機器情報（特定名称とサムネイル画像（特定情報））がコンテンツ名と対応付けて表示される。再生可能機器情報は、再生可能機器情報抽出部１１２から取得される。
【００２６】
本実施形態では、コンテンツ記録再生装置１０１で復号・再生可能なコンテンツデータには、符号４１１，４１４，４１８に示すように、「再生可」を対応付けて表示する。コンテンツ記録再生装置１０１で復号・再生可能なコンテンツデータは、付加情報が付加されいるかいないかに関わらない。コンテンツ記録再生装置１０１で復号・再生可能でないコンテンツデータで、再生可能機器情報が付加されていないコンテンツデータには、符号４１７に示すように、「不明」を対応付けて表示する。再生可能機器情報が付加されており、再生可能機器の固有名称がコンテンツ記録再生装置１０１の名称と一致しないコンテンツデータには、特定情報（特定名称４１２，４１５，４１９、サムネイル画像４１３，４１６，４２０）を対応付けて表示する。
【００２７】
図４の例では、コンテンツデータＡ，Ｃ，Ｆは、コンテンツ記録再生装置１０１で復号・再生可能であり、コンテンツデータＢ，Ｄは、受信装置Ｂで復号・再生可能であり、コンテンツデータＧは受信装置Ｃで復号・再生可能である。そして、コンテンツデータＥは、コンテンツ記録再生装置１０１で復号・再生可能でなく、かつ復号・再生可能な機器も不明である。
【００２８】
なお、図４の例では、再生可能機器情報に再生可能機器の固有名称が含まれ、且つ、当該固有名称が自装置の名称と一致しているコンテンツデータに対して「再生可」を対応付けて表示しているが、そのようなコンテンツデータに対応付ける情報はこれに限らない。例えば、コンテンツデータＢ，Ｄ，Ｇのように特定情報を対応付けてもよい。
【００２９】
＜ガイド映像データの作成の流れ＞
次に、図５のフローチャートを用いて、付加情報作成時の、コンテンツ記録再生装置１０１の動作の一例について説明する。
【００３０】
まず、ユーザがリモコン等を用いて付加情報の作成を指示すると、コンテンツ記録再生装置１０１は、付加情報を作成するための画面（付加情報作成画面）を表示装置で表示する（Ｓ５０１）。ユーザは、当該画面に従って、付加情報の作成のための操作を行う。
【００３１】
次に、コンテンツ記録再生装置１０１は再生可能機器画像の登録の受付を行う（Ｓ５０２）。再生可能機器画像登録部１１３を介して再生可能機器画像の登録がなされた場合には（Ｓ５０３：ＹＥＳ）、ガイド映像で用いる画像（図２の再生可能機器画像２０３）として、登録された再生可能機器画像を使用する。また、当該登録された再生可能機器画像は、再生可能機器のサムネイル画像の作成にも使用される（Ｓ５０４）。一方、再生可能機器画像の登録がされなかった場合には（Ｓ５０３：ＮＯ）、ガイド映像で用いる画像（図２の再生可能機器画像２０３）として、コンテンツ記録再生装置１０１の図示しない記憶部に予め格納してある再生可能機器画像（デフォルト画像）を使用する。また、デフォルト画像は、再生可能機器のサムネイル画像の作成にも使用される（Ｓ５０５）。
【００３２】
そして、コンテンツ記録再生装置１０１は、ガイド映像で用いるメッセージの入力の受付を行う（Ｓ５０６）。ユーザよりメッセージの入力がなされた場合には（Ｓ５０７：ＹＥＳ）、ガイド映像で用いるメッセージ（図２のメッセージ２０２）として、入力されたメッセージを使用する（Ｓ５０８）。ユーザよりメッセージの入力がされなかった場合に
は（Ｓ５０７：ＮＯ）、ガイド映像で用いるメッセージとして、コンテンツ記録再生装置１０１の図示しない記憶部に予め格納してあるメッセージ（デフォルトメッセージ）を使用する（Ｓ５０９）。
【００３３】
次に、コンテンツ記録再生装置１０１は、再生可能機器の特定名称の入力の受付を行う（Ｓ５１０）。ユーザより特定名称の入力がなされた場合には（Ｓ５１１：ＹＥＳ）、再生可能機器情報に含まれる特定名称として、入力された特定名称を使用する（Ｓ５１２）。ユーザより特定名称の入力がなされなかった場合には（Ｓ５１１：ＮＯ）、再生可能機器情報に含まれる特定名称として、コンテンツ記録再生装置１０１の図示しない記憶部に予め格納してある特定名称（デフォルト名称）を使用する（Ｓ５１３）。
【００３４】
そして、再生可能機器情報作成部１１１が、登録された（またはデフォルトの）再生可能機器画像から、サムネイル画像を生成する（Ｓ５１４）。そして、再生可能機器情報作成部１１１は、Ｓ５１４で作成されたサムネイル画像と、入力された（またはデフォルトの）特定名称、再生可能機器の固有名称、及び、付加情報データサイズ、を含む再生可能機器情報を作成する（Ｓ５１５）。なお、固有名称は予めコンテンツ記録再生装置１０１内に記録されているものとする。また、付加情報データサイズは、後のステップ（Ｓ５１６）で作成するガイド映像データと再生可能機器情報を合計したデータサイズである。Ｓ５１６で作成するガイド映像データのサイズは、再生可能機器画像のデータサイズやメッセージのデータサイズから算出されるものとする（Ｓ５１５の処理はＳ５１６の後に行ってもよく、その場合にはガイド映像データのサイズを直接得ることができる。）。
【００３５】
次に、ガイド映像作成部１１０が、登録された（またはデフォルトの）再生可能機器画像、および、入力された（またはデフォルトの）メッセージから、図２の２０１で示すようなガイド映像データ（ビデオデータ）を作成する（Ｓ５１６）。そして、ガイド映像作成部１１０が、Ｓ５１６で作成したガイド映像データと、Ｓ５１５で作成した再生可能機器情報とから、図３の３０１で示すような付加情報（一つのＭＰＥＧ−ＴＳ形式の情報）を作成する（Ｓ５１７）。そして、作成した付加情報を付加情報記録部１０５へ記録する（Ｓ５１８）。
【００３６】
このように、付加情報を再生可能機器情報とガイド映像データにより構成することで、再生可能機器情報を読み出すことができる装置においては、後述する記録コンテンツ一覧画面４０１の作成時に再生可能機器情報を使用することが可能になる。一方で、再生可能機器情報を読み出すことができない装置においても暗号化されていないガイド映像データを再生することで、表示装置に２０１で示すようなどの装置で復号・再生可能かを表す情報を映像として表示することが可能となる。それにより、使用中の装置で復号・再生可能かどうか、復号・再生できない場合はどの装置で復号・再生できるかなどをユーザが容易に判断することが可能となり、ユーザの利便性（コンテンツデータの利用、管理の利便性）が向上される。
【００３７】
＜付加情報の付加の流れ＞
次に、図６のフローチャートを用いて、コンテンツデータに付加情報を付加するときの、コンテンツ記録再生装置１０１の動作の一例について説明する。
【００３８】
まず、コンテンツ記録再生装置１０１が、放送されているコンテンツデータ（放送コンテンツデータ）を外付けＨＤＤへ記録するための指示（記録要求）をユーザから受け付ける（Ｓ６０１）。当該指示は、例えばリモコン等を用いて行われる。
【００３９】
放送コンテンツデータの記録要求を受け付けると、記録再生制御部１１４が、チューナ１０２で取得された放送コンテンツデータ（デコーダ１０４でデコードされたコンテンツ
データ）をエンコーダ１０７でエンコードする。そして、エンコードしたコンテンツデータを暗号処理部１１７で暗号化し、暗号化されたコンテンツデータを外付けＨＤＤ接続部１１８に接続された外付けＨＤＤへ記録する。（Ｓ６０２）。
【００４０】
そして、付加情報挿入部１０６が、図５の処理で生成された付加情報を付加情報記録部１０５から取得し、当該付加情報を暗号化されたコンテンツデータ（外付けＨＤＤに記録されたコンテンツデータ）へ付加する（Ｓ６０３）。
【００４１】
＜記録コンテンツ一覧画面の表示の流れ＞
次に、図７のフローチャートを用いて、図４で示す記録コンテンツ一覧画面４０１を作成するときの、コンテンツ記録再生装置１０１の動作の一例について説明する。
【００４２】
まず、記録コンテンツ一覧画面表示判断部１２０において、外付けＨＤＤ接続部１１８に接続されている外付けＨＤＤの記録コンテンツの一覧を出力すると判断されると、記録コンテンツ一覧画面の表示処理が開始される（Ｓ７０１）。
【００４３】
記録コンテンツ一覧画面の表示処理が開始すると、記録コンテンツ一覧画面作成部１１５が、記録コンテンツ管理部１１９より、外付けＨＤＤに記録されているコンテンツデータの総数及び名称などを取得する（Ｓ７０２、Ｓ７０３）。そして、全てのコンテンツデータについて、それぞれ、対応付ける情報を決定し、表示装置に表示する（Ｓ７０４〜Ｓ７１２）。
【００４４】
具体的には、コンテンツデータに再生可能機器情報が付加されている場合には（Ｓ７０５：ＹＥＳ）、再生可能機器情報に含まれる固有名称（再生可能機器の固有名称）が、コンテンツ記録再生装置１０１の固有名称と一致するかどうかを判断する。再生可能機器の固有名称がコンテンツ記録再生装置１０１の固有名称と一致する場合には（Ｓ７０６：ＹＥＳ）、そのコンテンツデータに、コンテンツ記録再生装置１０１で復号・再生可能であることを表す情報を対応付けて表示する（Ｓ７０７）。図４の例では「再生可」を対応付けて表示する。再生可能機器の固有名称が、コンテンツ記録再生装置１０１の固有名称と一致しない場合には（Ｓ７０６：ＮＯ）、再生可能機器情報に含まれる特定情報（特定名称とサムネイル画像）の取得を行う。そして、そのコンテンツデータに、取得した特定情報を対応付けて表示する（Ｓ７０９）。
【００４５】
また、コンテンツデータに再生可能機器情報が付加されていない場合には（Ｓ７０５：ＮＯ）、該当コンテンツデータが、コンテンツ記録再生装置１０１で復号・再生可能か否か判断する（Ｓ７１０）。コンテンツデータがコンテンツ記録再生装置１０１で復号・再生可能である場合には（Ｓ７１０：ＹＥＳ）、そのコンテンツデータに、コンテンツ記録再生装置１０１で復号・再生可能であることを表す情報を対応付けて表示する（Ｓ７１１）。コンテンツデータがコンテンツ記録再生装置１０１で復号・再生できない場合には（Ｓ７１０：ＮＯ）、Ｓ７１２に進む。Ｓ７１２では、そのようなコンテンツデータに、コンテンツ記録再生装置１０１で復号・再生できず、且つ、どの装置で復号・再生できるかが不明であることを表す情報を対応付けて表示する。図４の例では、そのようなコンテンツデータに「不明」を対応付けて表示する。
【００４６】
このように、コンテンツ記録再生装置１０１では、記録コンテンツの一覧を表示する際に、各コンテンツデータに対し再生可能機器に関する情報を対応付けて表示する。それにより、どのコンテンツデータがコンテンツ記録再生装置１０１で復号・再生できるのか、コンテンツ記録再生装置１０１で復号・再生できないコンテンツデータはどの装置で復号・再生できるのかなどをユーザが容易に判断することが可能となる。その結果、ユーザの利便性が向上される。
【００４７】
＜記録コンテンツの再生の流れ＞
次に、図８のフローチャートを用いて、記録コンテンツ再生時の、コンテンツ記録再生装置１０１の動作の一例について説明する。
【００４８】
まず、ユーザがリモコン等を用いて、例えば、記録コンテンツ一覧画面等から記録コンテンツの再生を指示すると、即ち、コンテンツ記録再生装置１０１が当該指示を受信すると（Ｓ８０１）、コンテンツ記録再生装置１０１は、Ｓ８０２以降の処理を行う。
【００４９】
Ｓ８０２では、ガイド映像読み飛ばし判定部１１６が、再生可能機器情報抽出部１１２を介して再生対象のコンテンツデータに再生可能機器情報が付加されているか否かを判断する。再生可能機器情報が付加されている場合には（Ｓ８０２：ＹＥＳ）、ガイド映像読み飛ばし判定部１１６が、再生可能機器情報に含まれる再生可能機器の固有名称とコンテンツ記録再生装置１０１の固有名称を比較する（Ｓ８０３）。再生可能機器の固有名称とコンテンツ記録再生装置１０１の固有名称が一致した場合には（Ｓ８０３：ＹＥＳ）、記録再生制御部１１４が、再生可能機器情報抽出部１１２から再生可能機器情報に含まれる付加情報データサイズを取得する（Ｓ８０４）。
【００５０】
そして、記録再生制御部１１４は、再生対象のコンテンツデータに対し、付加情報データサイズ分のデータを読み飛ばした位置から再生を開始する（Ｓ８０５）。Ｓ８０５の処理について図９を用いて説明する。図９は、付加情報が付加された記録コンテンツのデータの構造を示す。符号９０１は付加情報、符号９０２は暗号化されたコンテンツデータを示す。ここで、付加情報データサイズは付加情報９０１のデータサイズ、即ち、符号９０３で示すサイズである。そのため、コンテンツ記録再生装置１０１は、符号９０３で示すサイズ分のデータを読み飛ばすことで、位置９０４（コンテンツデータ９０２の最初）からの再生を行うことができる。つまり、付加情報を付加する前と同様にコンテンツデータ９０２の再生を行うことが可能となる（ユーザに違和感を覚えさせること無く、コンテンツデータを再生することができる。）。
【００５１】
一方、再生可能機器情報が付加されており（Ｓ８０２：ＹＥＳ）、再生可能機器の固有名称とコンテンツ記録再生装置１０１の固有名称が一致しない場合には（Ｓ８０３：ＮＯ）、記録再生制御部１１４がガイド映像データを再生する（Ｓ８０６）。つまり、位置９０５から再生される。即ち、復号・再生できないと判定された場合に、コンテンツデータに付加されているガイド映像データを再生する。なお、ガイド映像データを再生する前に、「本編は再生できませんが、再生しますか？」等の確認画面を表示し、ユーザが、再生の許可を指示した場合にのみガイド映像データの再生を開始してもよい。
【００５２】
また、再生可能機器情報が付加されていない場合には（Ｓ８０２：ＮＯ）、記録再生制御部１１４が、再生対象のコンテンツデータが復号・再生可能か否かを判断する（Ｓ８０７）。再生対象のコンテンツデータがコンテンツ記録再生装置１０１で復号・再生可能な場合には（Ｓ８０７：ＹＥＳ）、記録再生制御部１１４は、該当コンテンツデータの復号・再生を行う（Ｓ８０８）。再生対象のコンテンツデータがコンテンツ記録再生装置１０１で復号・再生可能でない場合には（Ｓ８０７：ＮＯ）、コンテンツ記録再生装置１０１は「再生できません」等を表示装置で表示する。それにより、ユーザへ再生対象のコンテンツデータが再生できない旨を通知することができる。
【００５３】
以上述べたように、本実施形態に係るコンテンツ記録再生装置によれば、コンテンツデータを記録媒体に記録する際に、暗号化されたコンテンツデータに再生可能機器以外の機器でも再生可能な付加情報を付加する。そのため、ユーザは、記録コンテンツに付加された付加情報を確認することで、そのコンテンツデータを復号できる機器を認識することが
できる。例えば、ユーザが、記録コンテンツを、再生不可能な機器で再生しようとした場合に、そのコンテンツデータに付加された付加情報を表示装置で表示することで、復号できる機器を認識することができる。それにより、ユーザによるコンテンツデータの利用、管理の利便性を向上することができる。
【００５４】
なお、図５〜８のフローチャートは一例であり、処理の内容や順序は適宜変更してもよい。例えば、図８の例では、コンテンツデータを記録媒体に記録した後に、コンテンツデータに付加情報を付加しているが、コンテンツデータに付加情報を付加した後に、コンテンツデータを記録媒体に記録してもよい。
【００５５】
なお、本実施形態では、再生可能機器が１つ（コンテンツ記録再生装置１０１）の場合について説明したが、再生可能機器は複数存在していてもよい。再生可能機器が複数存在する場合には、ガイド映像データは複数の機器を特定することのできる映像であってもよい（例えば、複数の機器の再生可能機器画像を用いた映像であってもよい。）。また、再生可能機器情報には、複数の機器の固有名称、特定名称、サムネイル画像が含まれていてもよい。記録コンテンツ一覧画面を作成する際に、１つのコンテンツデータに複数の機器の特定名称やサムネイル画像を対応付けてもよい。
【００５６】
なお、本実施形態では、ガイド映像データがビデオデータであるものとして説明したが、ガイド映像データは静止画像データであってもよい。また、本実施形態では、ガイド映像データが再生可能機器画像とメッセージとを含む場合について説明したが、ガイド映像データはこれに限らない。例えば、ガイド映像データは、再生可能機器画像そのもの（またはその画像を加工することによって得られる画像）であってもよいし、メッセージのみであってもよい。ユーザが再生可能機器を特定することのできる映像であればよい。
【００５７】
なお、本実施形態では、付加情報がガイド映像データと再生可能機器情報とを含む場合について説明したが、付加情報は再生可能機器情報を含まなくてもよい。付加情報にガイド映像データが含まれていれば、上述した効果を得ることができる。具体的には、ガイド映像データを再生することで、再生対象のコンテンツデータがどの機器で復号・再生可能かをユーザが容易に判断することができ、ユーザの利便性が向上される。
【００５８】
なお、本実施形態では、付加情報を暗号化されたコンテンツデータの先頭に付加しているため、初めに付加情報を読み出すことができるが、付加情報はコンテンツデータの先頭に付加しなくてもよい。コンテンツデータの先頭に付加されていなくても、付加情報を読み出すことで上述した作用効果を得ることができる。
【００５９】
なお、本実施形態では、コンテンツデータを復号・再生可能か否かを、再生可能機器の固有名称に基づいて判定したが、これに限らない。コンテンツデータを復号・再生可能か否かは、再生可能機器情報に基づいて判定すればよい。例えば、特定名称やサムネイル画像に基づいて判定してもよい。
【００６０】
なお、本実施形態では、特定名称とサムネイル画像を併せたものを特定情報としたが、特定情報は特定名称とサムネイル画像のいずれかであってもよいし、固有名称であってもよい。また、それら以外の情報であってもよい（例えば、アイコン等）。ユーザが再生可能機器を特定することのできる情報であればよい。記録コンテンツ一覧画面において、そのような情報がコンテンツデータに対応付けられていれば、ユーザはどのコンテンツデータがどの機器で復号・再生可能かを判断することができ、ユーザの利便性が向上される。
【００６１】
なお、本実施形態では、再生可能機器情報が固有名称、特定名称、サムネイル画像、及び、付加情報データサイズを含むものとしたが、再生機器情報はこれらの全てを含まなく
てもよい。再生可能機器情報は固有名称、特定名称、サムネイル画像、または、それら以外の情報（例えば、アイコン等）のいずれか１つ以上を含んでいればよい。再生可能機器を表す情報であればどのような情報であってもよい。
【００６２】
なお、本実施形態では、記録媒体が外付けＨＤＤである場合について説明したが、記録媒体はコンテンツ記録再生装置から取り外し不可能な内蔵ＨＤＤであってもよい。また、記録媒体は、ＨＤＤのような磁気ディスクに限らず、半導体メモリであってもよいし、光磁気ディスクであってもよい。記録媒体によらず、上記作用効果を得ることができる。
【符号の説明】
【００６３】
１０１  コンテンツ記録再生装置
１０６  付加情報挿入部
１１０  ガイド映像作成部
１１１  再生可能機器情報作成部
１１４  記録再生制御部
１１５  記録コンテンツ一覧画面作成部
１１６  ガイド映像読み飛ばし判定部
１１７  暗号処理部
２０１  ガイド映像
３０１，９０１  付加情報
３０２，９０２  コンテンツデータ
４０１  記録コンテンツ一覧画面
【図１】
2010178268.tif 000003
【図２】
2010178268.tif 000004
【図３】
2010178268.tif 000005
【図４】
2010178268.tif 000006
【図５】
2010178268.tif 000007
【図６】
2010178268.tif 000008
【図７】
2010178268.tif 000009
【図８】
2010178268.tif 000010
【図９】
2010178268.tif 000011